【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
常時通水下にある下水道における集砂方法であって、汚水の流れ方向に並列に設けられ、底面に集砂ピットを備えた複数の沈砂池と、各沈砂池への汚水の流入を個別的にかつ実質的に遮断するための通常は開放される入口ゲートとを備え、各沈砂池は個別的に汚水の流入を阻止した上、他の沈砂池と分離せしめることが可能となっており、低汚水量時において複数の沈砂池のうち一部の沈砂池への通水は継続させつつ、残余の沈砂池への通水は阻止すると共に通水中の沈砂池からは分離させ、通水を阻止した沈砂池を排水することにより実質的に空とし、実質的に空となった沈砂池において、底面に堆積した沈砂を沈砂池底面に沿った水流により集砂ピットに集積し汚水と共に揚砂ポンプにより排出するようにした集砂方法。
【請求項２】
請求項１に記載の発明において、低水量となる特定時間帯において複数の沈砂池における集砂を順次行うようにした集砂方法。 
【請求項３】
請求項１に記載の方法の実施のための集砂装置であって、汚水の流れ方向に並列に設けられ、夫々が底面に集砂ピットを形成し、かつ集砂ピットへの水流による沈砂の採集手段及び集砂ピットからの汚水及び沈砂の排出手段を備えた複数の沈砂池と、沈砂池の下流のポンプ井と、ポンプ井に配置された排水ポンプと、各沈砂池への汚水の流入を個別的に開閉制御するための入口ゲートと、各沈砂池へ個別的に汚水の流入を阻止した上、他の沈砂池と分離せしめることを可能とするため、入口ゲートが閉鎖された沈砂池を他の沈砂池に対し分離せしめる分離手段とを備えた集砂装置。
【請求項４】
請求項３に記載の集砂装置において、前記ポンプ井は複数の沈砂池で共用するべく複数の沈砂池の下流に設けられ、各沈砂池と前記ポンプ井との間に設けられた出口ゲートが前記分離手段を構成する集砂装置。
【請求項５】
請求項３に記載の集砂装置において、前記ポンプ井は各沈砂池の下流に独立して設けられ、ポンプ井間を分離する堰が前記分離手段を構成する集砂装置。
【手続補正２】
【補正対象書類名】明細書
【補正対象項目名】０００１
【補正方法】変更
【補正の内容】
【０００１】
この発明は常時通水下にある下水道における集砂方法及び集砂装置に関し、合流式下水道や分流式下水道における汚水沈砂池における効率的な集砂のため採用しうるものである。ここに集砂とは沈砂池に堆積した沈砂を沈砂池の所定部位である集砂ピットに集積し、集砂ピットから揚砂ポンプにより沈砂分離機等の沈砂回収部位に排出するまでの一連の操作を意味する。
【手続補正３】
【補正対象書類名】明細書
【補正対象項目名】０００２
【補正方法】変更
【補正の内容】
【０００２】
合流式下水道や分流式下水道における汚水沈砂池は常時通水されており、通水下で沈砂池に堆積した沈砂の集砂・排出のため従来はスクリュコンベヤ式の集砂装置（特許文献１）や、ノズルからの噴射水圧力による所謂高圧集砂装置や中圧集砂装置（特許文献２）を使用していた。すなわち、スクリュコンベヤ式の集砂装置では沈砂池の下面に堆積した沈砂を汚水と一緒にスクリュコンベヤにより揚砂し、沈砂分離機で沈砂を分離していた。また、噴射水圧力による高圧集砂装置や中圧集砂装置においては、沈砂池底面に沿って加圧水をスプレーすることにより沈砂を集砂ピットに集め、集砂ピットに設けたジェットポンプにより汚水と共に吸引揚砂し、沈砂分離機で沈砂を分離する仕組みとなっていた。
【手続補正４】
【補正対象書類名】明細書
【補正対象項目名】０００７
【補正方法】変更
【補正の内容】
【０００７】
この発明によれば、集砂装置が設置された下水道は常時通水下にある。汚水の流れ方向に並列に複数の沈砂池が設けられる。各沈砂池は底面に集砂ピットを形成し、かつ集砂ピットへの水流による沈砂採集手段及び集砂ピットからの沈砂排出手段を備える。汚水の流れを常時維持しつつ低圧集砂方式の集砂を行うため、沈砂池は個別的に汚水の流入を阻止することができるように流入側には入口ゲートが設けられ、流出側はポンプ井を個別化するか、複数の沈砂池でポンプ井を共用の場合は夫々の沈砂池に出口ゲートを設けることで沈砂池間を分離し、汚水の流入阻止と相俟ってその沈砂池を実質的に空とすることが可能である。夜間などの低流量時に入口ゲートを順次閉鎖することによりその沈砂池への汚水の流入を阻止すると共に、その沈砂池を実質的に空とし、沈砂池が実質的に空の状態において、その沈砂池に堆積した沈砂を沈砂池底面に沿った低圧水流により集砂ピットに集積し揚砂ポンプにより排出することにより集砂作動を行うようにしている。
【手続補正５】
【補正対象書類名】明細書
【補正対象項目名】０００９
【補正方法】変更
【補正の内容】
【０００９】
複数の沈砂池を並列に設置し、各沈砂池への汚水の流入を個別的に制御可能とし、深夜などの低水量時に、複数の沈砂池への汚水の流入を順次停止し、かつ残余の沈砂池から分離することで、汚水の流入停止の間においてその沈砂池を実質的に空とし、沈砂池を空とした状態で沈砂池底面に溜まった沈砂を沈砂池底面に沿った水流で汚水ピットに採集し、揚砂ポンプで排出することで、汚水の流通は確保しつつ、低圧集砂方式の集砂作業を行うことができるため、常時通水のある汚水沈砂池にあっても低圧下で効率的な集砂作業を実現することができる。
【手続補正６】
【補正対象書類名】明細書
【補正対象項目名】００１１
【補正方法】変更
【補正の内容】
【００１１】
沈砂池１０における集砂方式は所謂低圧集砂として雨水沈砂池における集砂方式として本発明の出願人と同一の出願人により提案され広く採用されている方式と同様のものであり、本発明ではこの集砂方式を常時通水される汚水沈砂池の集砂にも利用し得るよう工夫したものである。沈砂池１０における集砂方式について詳細に説明すると、沈砂池１０の底面における長手方向に集砂ピット２０（図２）が延設される。集砂ピット２０は沈砂池における最も低い部位に位置し、両側は沈砂池側面10-1まで延びる傾斜面２２（図３）を呈している。傾斜面２２には間隔をおいて狭くかつ浅いトラフ２４が幅方向に延設され、各トラフ２４間における沈砂池側面10-1近くに散水ノズル２６が開口している。集砂時の散水のため散水ノズル２６は図示しない沈殿池などの給水源に給水管２８（図２に示された散水ノズル２６とで本発明の沈砂採集手段を構成する）を介して連通され、給水管２８には給水ポンプ（本発明の沈砂排出手段）30が設けられる。そして、長手方向における集砂ピット２０の中央部に揚砂ポンプ３２（この発明の沈砂及び汚水の排出手段）が設けられる。揚砂ポンプ３２はその吸引口32-1が集砂ピット２０の底面付近に開口しており、排出口32-2は揚砂管３４を介して図示しない沈砂分離機に接続されている。
【手続補正７】
【補正対象書類名】明細書
【補正対象項目名】００１４
【補正方法】変更
【補正の内容】
【００１４】
集砂作業を行う特定時間との判断のときはステップ５０からステップ５４ａ以下に進み、第１の沈砂池１０ａでの集砂作業を行う。先ずステップ５４ａでは沈砂池１０ａへの入口ゲート１２ａの閉鎖のため、入口ゲート１２ａの駆動モータM12への駆動信号によりゲートを図２の想像線１２´のように閉鎖し、沈砂池１０ａへの汚水の流入を停止する。次に、ステップ５６ａでは出口ゲート１４ａの駆動モータM14への駆動信号によりゲート１４ａを図２の想像線１４´のように閉鎖し、沈砂池１０ａを他の沈砂池10b, 10cから分離する。沈砂池１０ａへの汚水の流入を阻止し、かつ他の沈砂池10b, 10cから分離した状態で低圧集砂方式による集砂が行われる。即ち、ステップ５８ａでは揚砂ポンプ３２が駆動され、当初は沈砂池１０ａは低水位とはいえ汚水が残っているが揚砂ポンプ３２の回転により沈砂池１０ａの汚水は排出され、液面が揚砂ポンプの吸引口32-1の少し手前まで下がると、揚砂ポンプ３２は一旦停止される。そして、ステップ６０ａでは給水ポンプ３０を駆動すべく制御回路３６より信号が送られ、散水ノズル２６より水が噴射される。散水ノズル２６からスプレーされた水は斜面２２上を流下し、斜面２２上に堆積した沈砂は集砂ピット２０に集められる。集砂のための散水ノズル２６からの散水のための水圧は0.3Mpa以下、より好ましくは0.0002から0.005MPaである。次にステップ６２ａでは揚砂ポンプ３２を再び駆動すべく信号が制御回路３６より送られ、沈砂池１０ａの底面の集砂ピット２０に集められた沈砂は汚水と共に揚砂ポンプ３２によって図示しない地上の沈砂分離設備に吸水搬送され、ここで沈砂は水とが分離され、沈砂はトラックなどにより処分場に陸上輸送される。ステップ６４ａでは、入口ゲート１２ａの駆動モータM12への駆動信号によりゲートを図２の実線のように開放すると共に出口ゲート１４ａの駆動モータM14への駆動信号によりゲート１４ａを図２の実線のように開放する。即ち、流入ゲート１２ａ及び出口ゲート１４ａが共に開放される本来の状態に戻り、汚水流入管８からの汚水は沈砂池１０ａに再び流入される。以上の沈砂池１０ａの集砂動作の間、残余の沈砂池10b, 10cではゲート12b, 12c, 14b, 14cは開放のままで、通水及び排水ポンプ１８による排水は通常のように行われている。
【手続補正８】
【補正対象書類名】明細書
【補正対象項目名】００１５
【補正方法】変更
【補正の内容】
【００１５】
第１の沈砂池１０ａの沈砂処理がこのようにして完了し、第１の沈砂池１０ａは通常の通水状態に戻るとステップ５４ｂ〜６４ｂで第２の沈砂池１０ｂでの沈砂処理が同様に行われる。即ち、入口ゲート１２ｂを閉鎖し（ステップ５４ｂ）、出口ゲート１４ｂを閉鎖し（ステップ５６ｂ）、揚砂ポンプ３２により沈砂池１０ｂを空とし（ステップ５８ｂ）、散水ノズル２６からの散水による沈砂の採集を行い（ステップ６０ｂ）、揚砂ポンプ３２により沈砂を沈砂分離機まで搬送し（ステップ６２ｂ）、このようにして第２の沈砂池１０ｂの集砂処理が完了するとゲート12b, 14bを開ける（ステップ６４ｂ）。第２の沈砂池１０ｂが通常の通水状態に戻ると、ステップ５４ｃ〜６４ｃで第３の沈砂池１０ｃでの沈砂処理が同様に行われる。即ち、入口ゲート１２ｃを閉鎖し（ステップ５４ｃ）、出口ゲート１４ｃを閉鎖し（ステップ５６ｃ）、揚砂ポンプ３２により沈砂池１０ｃを空とし（ステップ５８ｃ）、散水ノズル２６からの散水による沈砂の採集を行い（ステップ６０ｃ）、揚砂ポンプ３２により沈砂を沈砂分離機まで搬送し（ステップ６２ｃ）、このようにして第３の沈砂池１０ｃの集砂処理が完了するとゲート12c, 14cを開ける（ステップ６４ｃ）。